(57)【要約】  少なくとも１つの第２のビームを用いて、送受信ポイント（ＴＲＰ）から第１のビームを用いて送信される少なくとも１つの参照信号（ＲＳ）を受信する受信部と、ＲＳの受信品質に基づいて第２のビームとペアとなる第１のビームを決定するプロセッサと、を具備するユーザ装置（ＵＥ）が開示される。ＵＥは、決定した第１のビームを示すフィードバック情報を送信する送信部をさらに具備する。第２のビームは無指向性ビームである。受信部は、第２のビームがＲｘビームであって、ＴＲＰからＲＳを受信するためのＲｘビームを示す受信（Ｒｘ）ビーム指定情報を受信する。
2020516139.tif 000002
【特許請求の範囲】
【請求項１】
少なくとも１つの第２のビームを用いて、送受信ポイント（ＴＲＰ）から第１のビームを用いて送信される少なくとも１つの参照信号（ＲＳ）を受信する受信部と、
前記ＲＳの受信品質に基づいて、前記第２のビームとペアになる前記第１のビームを決定するプロセッサと、を具備するユーザ装置（ＵＥ）。
【請求項２】
決定した前記第１のビームを示すフィードバック情報を送信する送信部をさらに具備する、請求項１に記載のＵＥ。
【請求項３】
前記第２のビームは無指向性ビームであることを特徴とする、請求項１に記載のＵＥ。
【請求項４】
前記受信部は、前記第２のビームが受信（Ｒｘ）ビームであって、前記ＴＲＰから前記ＲＳを受信するための前記Ｒｘビームを示すＲｘビーム指定情報を受信することを特徴とする、請求項１に記載のＵＥ。
【請求項５】
前記受信部は、複数の前記ＲＳのそれぞれに対する前記第２のビームを切り替えることを特徴とする、請求項１に記載のＵＥ。
【請求項６】
前記受信部は、前記ＴＲＰから前記第１のビームの数を示す情報を受信することを特徴とする、請求項１に記載のＵＥ。
【請求項７】
前記フィードバック情報は、前記第１のビームとペアとなる前記第２のビームを示すことを特徴とする、請求項１に記載のＵＥ。
【請求項８】
少なくとも１つの第２のビームを用いて、ユーザ装置（ＵＥ）から第１のビームを用いて送信される少なくとも１つの参照信号（ＲＳ）を受信する受信部と、
前記ＲＳの受信品質に基づいて、前記第２のビームとペアとなる前記第１のビームを決定するプロセッサと、を具備する送受信ポイント（ＴＲＰ）。
【請求項９】
決定した前記第１のビームを示すフィードバック情報を送信する送信部をさらに具備する、請求項８に記載のＴＲＰ。
【請求項１０】
前記第２のビームは無指向性ビームであることを特徴とする、請求項８に記載のＴＲＰ。
【請求項１１】
前記受信部は、前記第２のビームが受信（Ｒｘ）ビームであって、前記ＵＥＰから前記ＲＳを受信するための前記Ｒｘビームを示すＲｘビーム指定情報を受信することを特徴とする、請求項８に記載のＴＲＰ。
【請求項１２】
前記受信部は、複数の前記ＲＳのそれぞれに対する前記第２のビームを切り替えることを特徴とする、請求項８に記載のＴＲＰ。
【請求項１３】
前記受信部は、前記ＵＥから前記第１のビームの数を示す情報を受信することを特徴とする、請求項８に記載のＴＲＰ。
【請求項１４】
前記フィードバック情報は、前記第１のビームとペアとなる前記第２のビームを示すことを特徴とする、請求項８に記載のＴＲＰ。
【請求項１５】
下りリンク参照信号（ＲＳ）と上りリンクＲＳとの関連付けを示すビームペアリンクを用いてビーム管理を実行するプロセッサ、を具備するユーザ装置（ＵＥ）。
【発明の詳細な説明】
【技術分野】
【０００１】
本発明は、一般に、送受信ポイント（ＴＲＰ）およびユーザ装置（ＵＥ）を含む無線通信システムにおけるビームマネジメントの方法に関する。
【背景技術】
【０００２】
第３世代パートナーシッププロジェクト（３ＧＰＰ）では、大規模アンテナアレイで効率的なプリコーディングを達成するために、Ｎｅｗ  Ｒａｄｉｏ（ＮＲ；第５世代（５Ｇ）無線アクセス技術）のビーム管理およびチャネル状態情報（Ｃｈａｎｎｅｌ  Ｓｔａｔｅ  Ｉｎｆｏｒｍａｔｉｏｎ（ＣＳＩ））取得方式が研究されている。狭いビームを用いる大規模アレイシステムの場合、送受信ポイント（Ｔｒａｎｓｍｉｓｓｉｏｎ  ａｎｄ  Ｒｅｃｅｐｔｉｏｎ  Ｐｏｉｎｔ（ＴＲＰ））および／またはユーザ装置（Ｕｓｅｒ  Ｅｑｕｉｐｍｅｎｔ（ＵＥ））のビームは十分に調節されることが基本であり、ビーム管理とも呼ばれる。狭いビームを用いる大規模アレイシステムの場合、送受信ポイント（ＴＲＰ）およびユーザ装置（ＵＥ）のビームは、相互に十分に整列されていることが基本であり、ビームペアリンク制御とも呼ばれる。
【０００３】
ＮＲ技術では、ＵＥは、リソース設定、ＣＳＩ報告およびリンクを用いてビーム管理およびＣＳＩ取得を実行する。
【０００４】
ＣＳＩ取得での各パラメータの内容のいくつかを以下にリストする。
（１）リソース設定（リソース設定の数：Ｍ）
ＲＳ情報（例えば、ＣＳＩ−ＲＳリソース、アンテナポートの数）
干渉測定リソース（Ｉｎｔｅｒｆｅｒｅｎｃｅ  Ｍｅａｓｕｒｅｍｅｎｔ  Ｒｅｓｏｕｒｃｅ（ＩＭＲ））情報
時間領域の動作（周期的、非周期的またはセミパーシステント）など
−  周期的および非周期的の周期性およびタイミングオフセット
（２）ＣＳＩ報告設定（ＣＳＩ報告設定の数：Ｎ）
時間領域の動作（周期的、非周期的またはセミパーシステント）
周波数粒度（サブバンド、部分バンドまたはワイドバンド）
ＣＳＩパラメータ（ＲＩ、ＰＭＩ、ＣＲＩ、ＣＱＩ）
−  各ＣＳＩパラメータがオン／オフに設定される
ＣＳＩタイプ（例えば、タイプＩまたはＩＩ）
コードブック情報など
（３）リンク（リンクの数：ｌ）
【０００５】
既存のＬｏｎｇ  Ｔｅｒｍ  Ｅｖｏｌｕｔｉｏｎ（ＬＴＥ）（例えば、Ｒｅｌ．１３  ＬＴＥ）の下での従来技術は、前述のビームペアリンク制御を用いるビーム管理およびＣＳＩ取得方式をサポートしない。さらに、ビームペアリンク制御は定義されておらず、ビームペア制御を用いるＵＥの手順は３ＧＰＰ規格では決定されていない。
【先行技術文献】
【非特許文献】
【０００６】
【非特許文献１】３ＧＰＰ  ＴＳ  ３６．２１１  Ｖ１４．１．０
【非特許文献２】３ＧＰＰ  ＴＳ  ３６．２１３  Ｖ１４．１．０
【発明の概要】
【発明が解決しようとする課題】
【０００７】
本発明の１つ以上の実施形態は、少なくとも１つの第２のビームを用いて、送受信ポイント（ＴＲＰ）から第１のビームを用いて送信される１つ以上のＲＳを受信する受信部と、ＲＳの受信品質に基づいて第２のビームとペアになる第１のビームを決定するプロセッサと、を具備するユーザ装置（ＵＥ）に関する。
【０００８】
本発明の１つ以上の実施形態は、少なくとも１つの第２のビームを用いて、ＵＥから第１のビームを用いて送信される少なくとも１つのＲＳを受信する受信部と、ＲＳの受信品質に基づいて第２のビームとペアになる第１のビームを決定するプロセッサと、を具備するＴＲＰに関する。
【０００９】
本発明の１つ以上の実施形態は、ビームペアリンクを用いてビーム管理を実行するプロセッサを具備するＵＥに関する。ビームペアリンクは、下りリンク参照信号（ＲＳ）と上りリンクＲＳとの関連付けとして設定される。
【００１０】
本発明の１つ以上の実施形態は、ビームペア制御を用いる効率的なＵＥの手順を実行することができ、既存のシステムと比較してはるかに狭いビームに適応するようにさらに拡張される。
【００１１】
本発明の他の実施形態および利点は、説明および図面から認識されるであろう。
【図面の簡単な説明】
【００１２】
【図１】本発明の１つ以上の実施形態による、無線通信システムの構成を示す図である。
【図２】本発明の１つ以上の実施形態による、ビームペアリンクの構成の例を示す図である。
【図３】本発明の１つ以上の実施形態による、ビームペアリンクの構成の例を示す図である。
【図４】本発明の１つ以上の実施形態による、ビーム管理動作の例を示すフローチャートである。
【図５】本発明の第１の実施例の１つ以上の実施形態による、ビーム管理動作の例を示す概略図である。
【図６】本発明の第１の実施例の１つ以上の実施形態による、ビーム管理動作の動作例を示すシーケンス図である。
【図７】本発明の第２の実施例の１つ以上の実施形態による、ビーム管理動作の例を示す概略図である。
【図８】本発明の第２の実施例の１つ以上の実施形態による、ビーム管理動作の動作例を示すシーケンス図である。
【図９】本発明の第２の変形例の１つ以上の実施形態による、ビーム管理動作の動作例を示すシーケンス図である。
【図１０】本発明の第３の実施例の１つ以上の実施形態による、ビーム管理動作の例を示す概略図である。
【図１１】本発明の第３の実施例の１つ以上の実施形態による、ビーム管理動作の動作例を示すシーケンス図である。
【図１２】本発明の第３の変形例の１つ以上の実施形態による、ビーム管理動作の動作例を示すシーケンス図である。
【図１３】本発明の第４の実施例の１つ以上の実施形態による、ビーム管理動作の例を示す概略図である。
【図１４】本発明の第４の変形例の１つ以上の実施形態による、ビーム管理動作の例を示す概略図である。
【図１５】本発明の第５の実施例の１つ以上の実施形態による、ビームスイーピング動作の例を示す概略図である。
【図１６】本発明の第５の実施例の１つ以上の実施形態による、ビームスイーピング動作の例を示す概略図である。
【図１７】本発明の第５の実施例の１つ以上の実施形態による、ビームスイーピング動作の例を示す概略図である。
【図１８】本発明の第６の実施例の１つ以上の実施形態による、ＵＥ  Ｔｘを決定する方法の例を示すフローチャートである。
【図１９】本発明の第７の実施例の１つ以上の実施形態による、ＴＲＰ  Ｔｘを決定する方法の例を示す概略図である。
【図２０】本発明の第８の実施例の１つ以上の実施形態による、ビームスイーピング動作の例を示す概略図である。
【図２１】本発明の第８の実施例の１つ以上の実施形態による、ビームスイーピング動作の例を示す概略図である。
【図２２】本発明の第８の実施例の１つ以上の実施形態による、ビームスイーピング動作の例を示す概略図である。
【図２３】本発明の１つ以上の実施形態による、ＴＲＰの概略構成を示す図である。
【図２４】本発明の１つ以上の実施形態による、ＵＥの概略構成を示す図である。
【発明を実施するための形態】
【００１３】
以下、本発明の実施の形態について図面を参照しながら詳細に説明する。本発明の実施形態では、本発明のより完全な理解を提供するために多数の具体的な詳細が説明される。しかし、これらの特定の詳細なしで本発明を実施できることは、当業者には明らかであろう。他の例では、本発明を曖昧にすることを避けるために、周知の特徴は詳細に説明されていない。
【００１４】
図１は、本発明の１つ以上の実施形態による、無線通信システム１である。無線通信システム１は、ユーザ装置（ＵＥ）１０と、送受信ポイント（ＴＲＰ）２０と、コアネットワーク３０と、を含む。無線通信システム１はＮｅｗ  Ｒａｄｉｏ（ＮＲ）システムであってもよい。無線通信システム１は、本明細書で開示される特定の構成に限定されず、ＬＴＥ／ＬＴＥ−Ａｄｖａｎｃｅｄ（ＬＴＥ−Ａ）システムなどの任意のタイプの無線通信システムであってもよい。
【００１５】
ＴＲＰ２０は、ＵＥ１０とＴＲＰ２０のセル内で上りリンク（ＵＬ）信号および下りリンク（ＤＬ）信号を通信してもよい。ＤＬ信号およびＵＬ信号は、制御情報およびユーザデータを含み得る。ＴＲＰ２０は、基地局（ＢＳ）と呼ばれてもよい。ＴＲＰ２０は、ｇＮｏｄｅＢ（ｇＮＢ）であってもよい。
【００１６】
ＴＲＰ２０は、アンテナ、隣接ＴＲＰ２０と通信する通信インターフェース（例えば、Ｘ２インターフェース）、コアネットワーク３０と通信する通信インターフェース（例えば、Ｓ１インターフェース）、および、ＵＥ１０との送受信信号を処理するプロセッサまたは回路などの中央処理装置（Ｃｅｎｔｒａｌ  Ｐｒｏｃｅｓｓｉｎｇ  Ｕｎｉｔ（ＣＰＵ））を含む。ＴＲＰ２０の動作は、プロセッサがメモリに格納されたデータおよびプログラムを処理または実行することにより実装され得る。しかし、ＴＲＰ２０は、上述のハードウェア構成に限定されず、当業者によって理解されるように、他の適切なハードウェア構成によって実現されてもよい。多数のＴＲＰ２０が、無線通信システム１のより広いサービスエリアをカバーするように配置され得る。
【００１７】
ＵＥ１０はＴＲＰ２０と多入力多出力（Ｍｕｌｔｉ  Ｉｎｐｕｔ  Ｍｕｌｔｉ  Ｏｕｔｐｕｔ（ＭＩＭＯ））技術を使用して制御情報およびユーザデータを含むＤＬ信号およびＵＬ信号を通信してもよい。ＵＥ１０は、移動局、スマートフォン、携帯電話、タブレット、モバイルルーター、またはウェアラブルデバイスなどの無線通信機能を有する情報処理装置であってもよい。
【００１８】
ＵＥ１０は、プロセッサ、ＲＡＭ（Ｒａｎｄｏｍ  Ａｃｃｅｓｓ  Ｍｅｍｏｒｙ）、フラッシュメモリ、ＴＲＰ２０とＵＥ１０との間で無線信号を送受信するための無線通信装置などのＣＰＵを含む。例えば、後述するＵＥ１０の動作は、メモリに格納されたデータおよびプログラムを、処理または実行するＣＰＵによって実現されてもよい。しかし、ＵＥ１０は、上述したハードウェア構成に限定されるものではなく、例えば、以下に説明する処理を実現するための回路で構成されてもよい。
【００１９】
（ビームペアリンクの指示）
ビームペアリンク（Ｂｅａｍ  Ｐａｉｒ  Ｌｉｎｋ（ＢＰＬ））とは、ＴＲＰビームとＵＥビームとの組み合わせである。ＴＲＰビームとＵＥビームとの組み合わせは、下りリンク送信におけるＴＲＰ送信（Ｔｘ）ビームとＵＥ受信（Ｒｘ）ビームとの組み合わせ、および上りリンク送信におけるＴＲＰ  ＲｘビームとＵＥ  Ｔｘビームとの組み合わせを含む。本発明の１つ以上の実施形態によれば、ＢＰＬは、チャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ（ＣＳＩ−ＲＳ））リソースおよびサウンディング参照信号（Ｓｏｕｎｄｉｎｇ  Ｒｅｆｅｒｅｎｃｅ  Ｓｉｇｎａｌ（ＳＲＳ））リソースとの関連付けによって示され得る。つまり、ＢＰＬは、下りリンクおよび上りリンクの参照信号（Ｒｅｆｅｒｅｎｃｅ  Ｓｉｇｎａｌ（ＲＳ））の組み合わせによって示され得る。
【００２０】
図２、図３は本発明の１つ以上の実施形態による、ＢＰＬの構成を示す。図２、図３で示すように、ＴＲＰ２０は信号の送受信のために、ＴＲＰビーム＃１−＃４の４つのビームを使用する。ＵＥ１０は信号の送受信のために、ＵＥビーム＃１、＃２の２つのビームを使用する。
【００２１】
図２において、ＢＰＬの数はＵＥビームとペアとなるＴＲＰビームの数として示されてもよい。したがって、図２において、ＢＰＬの数（ＮＴＲＰ）は４（ＢＰＬ＃１−４）である。
【００２２】
図３において、ＢＰＬの数はＴＲＰビームとペアとなるＵＥビームの数として示されてもよい。したがって、図３において、ＢＰＬの数（ＮＵＥ）は２（ＢＰＬ＃１、２）である。
【００２３】
本発明の別の実施例の１つ以上の実施形態によれば、ＢＰＬの数はＮＴＲＰおよびＮＵＥの最小値（ｍｉｎ（ＮＴＲＰ，ＮＵＥ））として示されてもよい。
【００２４】
本発明の別の実施例の１つ以上の実施形態によれば、ＢＰＬの数はＮＴＲＰおよびＮＵＥの最大値（ｍａｘ（ＮＴＲＰ，ＮＵＥ））として示されてもよい。
【００２５】
本発明の別の実施例の１つ以上の実施形態によれば、ＢＰＬの数はＮＴＲＰおよびＮＵＥ（ＮＴＲＰ＋ＮＵＥ）を含んでもよい。
【００２６】
本発明の別の実施例の１つ以上の実施形態によれば、ＢＰＬの数はＮＴＲＰ、ＮＵＥ、ｍｉｎ（ＮＴＲＰ，ＮＵＥ）、ｍａｘ（ＮＴＲＰ，ＮＵＥ）、およびＮＴＲＰ＋ＮＵＥの少なくとも１つとして示されてもよい。
【００２７】
（ビームペアリンク決定のためのビーム管理）
ビーム管理のためのＢＰＬを決定する方法を、以下で説明する。
【００２８】
（ＴＲＰ  Ｔｘビームを決定する方法）
図４は、本発明の１つ以上の実施形態による、ビーム管理動作の例を示すフローチャートである。
【００２９】
ステップＳ１１で示すように、ＴＲＰ２０はＵＥ１０へＣＳＩ−ＲＳリソース情報および／またはビーム選択情報を送信してもよい。ＣＳＩ−ＲＳリソース情報は、ＴＲＰ２０から送信されるＣＳＩ−ＲＳリソースの数（ＴＲＰ  Ｔｘビームの数（ＮＴＲＰ））を明示的または暗黙的に示す情報を含む。例えば、ビーム選択情報は、選択されるビームの数などのビーム選択のためのＵＥの想定を示す情報を含む。
【００３０】
例えば、ＴＲＰ２０はＵＥ１０にＣＳＩ−ＲＳ送信に使用されるＴＲＰ  Ｔｘビームの数（ＮＴＲＰ）を明示的に通知してもよい。
【００３１】
例えば、ＴＲＰ２０はＵＥ１０にＴＲＰ  Ｔｘビームの数（ＮＴＲＰ）を暗黙的に通知してもよい。例えば、ＴＲＰ２０はＵＥ１０にＴＲＰ  Ｔｘビームの数（ＮＴＲＰ）を通知するために、ＣＳＩ−ＲＳリソースの数、ＣＳＩ−ＲＳリソースセットの数、各ＴＲＰ  Ｔｘビームを識別するビームＩＤ、または仮想セルＩＤを送信してもよい。
【００３２】
また、ＴＲＰ  Ｔｘビームの数（ＮＴＲＰ）を示す情報は、送信と受信との間で共通に、または独立にセットされてもよい。ＮＴＲＰが受信に使用される場合、ＴＲＰ側での候補Ｒｘビームの数（または生成可能なＲｘビームの数）を意味してもよい。
【００３３】
ステップＳ１１では、ＣＳＩ−ＲＳリソース情報はＣＳＩ−ＲＳリソースに適用されるビームの情報が含まれる。例えば、ＴＲＰ２０はＵＥ１０に疑似コロケーション（Ｑｕａｓｉ−Ｃｏ−Ｌｏｃａｔｉｏｎ（ＱＣＬ））としてプリコーディング情報を通知してもよい。例えば、ＴＲＰ２０はＵＥ１０に、異なるプリコーディングが複数のＣＳＩ−ＲＳリソースに適用されるかどうかを示す情報（例えば、１ビット情報）を通知してもよい。例えば、ＴＲＰ２０はＵＥ１０に、同じプリコーディングが複数のＣＳＩ−ＲＳリソースに適用されるかどうかを示す情報（例えば、１ビット情報）を通知してもよい。
【００３４】
図４におけるステップＳ１２では、ＴＲＰ２０はＵＥ１０に、１つ以上のＴＲＰ  Ｔｘビーム（ＣＳＩ−ＲＳ）を送信してもよい。ＵＥ１０はＵＥ  Ｒｘビームを用いてＴＲＰ  Ｔｘビームを受信してもよい。
【００３５】
ステップＳ１３では、ＵＥ１０はＢＰＬのためのＴＲＰ  Ｔｘビームおよび／またはＵＥ  Ｒｘビームを決定してもよい。
【００３６】
ステップＳ１４では、ＵＥ１０はステップＳ１３で決定されるＴＲＰ  Ｔｘビームおよび／またはＵＥ  Ｒｘビームを示す情報を含むフィードバック情報を送信してもよい。
【００３７】
したがって、本発明の１つ以上の実施形態によれば、ＢＰＬに使用されるＴＲＰ  Ｔｘビームが決定され得る。ＢＰＬを決定するための方法については、以下で詳細に説明する。
【００３８】
（第１の実施例）
本発明の第１の実施例の１つ以上の実施形態によれば、ＴＲＰ  Ｔｘビーム決定動作において、ＵＥ１０は無指向性ビーム（無指向性アンテナ）を使用してＣＳＩ−ＲＳを受信してもよい。例えば、ＵＥ  ＲｘビームはＵＥ１０のアンテナコネクタで決定されてもよい。図５に示すように、ＴＲＰ２０はビームスイーピングによってＴＲＰ  Ｔｘビーム＃１−＃４を用いてＣＳＩ−ＲＳを送信してもよい。ＵＥ１０はＴＲＰ２０から、無指向性ビームを使用してＣＳＩ−ＲＳを受信してもよい。
【００３９】
図６は、本発明の第１の実施例の１つ以上の実施形態による、ビーム管理動作の動作例を示すシーケンス図である。
【００４０】
図６に示すように、ステップＳ１０１で、ＴＲＰ２０はＣＳＩ−ＲＳリソース情報および／またはビーム選択情報を送信してもよい。ＣＳＩ−ＲＳリソース情報は、ＴＲＰ  Ｔｘビームの数（ＮＴＲＰ）を示す情報、およびＵＥ  Ｒｘビームを指定するためのＵＥ  Ｒｘビーム指定情報を含む。本発明の第１の実施例の１つ以上の実施形態では、ＵＥ  Ｒｘビーム指定情報は無指向性ビームとして示されてもよい。例えば、ＵＥ  Ｒｘビーム指定情報は、無指向性ビームとしてＵＥ  Ｒｘビームを指定するために、ＱＣＬとして通知されてもよい。例えば、ＵＥ  Ｒｘビーム指定情報は、ＵＥ  Ｒｘビームを無指向性ビームとして指定するために、ＣＳＩ−ＲＳリソースとＳＳ／ＲＳとの間にＱＣＬがないことを通知されてもよい。例えば、ＵＥ  Ｒｘビーム指定情報は、サウンディング参照信号（Ｓｏｕｎｄｉｎｇ  Ｒｅｆｅｒｅｎｃｅ  Ｓｉｇｎａｌ（ＳＲＳ））リソース識別子（ＳＲＳ  Ｒｅｓｏｕｒｃｅ  Ｉｎｄｉｃａｔｏｒ（ＳＲＩ））の特別なケースとして通知されてもよい。
【００４１】
ステップＳ１０２では、ＴＲＰ２０はビームスイーピングによって、ＴＲＰ  Ｔｘビーム＃１−＃４のそれぞれを用いてＣＳＩ−ＲＳ＃１−＃４を送信してもよい。
【００４２】
ステップＳ１０３では、ＵＥ１０はＵＥ  Ｒｘビーム指定情報に基づいて、無指向性アンテナ（無指向性ビーム）を用いてＣＳＩ−ＲＳを受信してもよい。ＵＥ１０はＣＳＩ−ＲＳの受信品質に基づいて、ＴＲＰ  Ｔｘビームを決定してもよい。
【００４３】
ステップＳ１０４では、ＵＥ１０はＴＲＰ２０にフィードバック情報を送信してもよい。
【００４４】
例えば、フィードバック情報は、決定したＴＲＰ  Ｔｘビームを示す情報（ＣＳＩ−ＲＳリソース識別子（ＣＳＩ−ＲＳ  Ｒｅｓｏｕｒｃｅ  Ｉｎｄｉｃａｔｏｒ（ＣＲＩ）））、適用したＵＥ  Ｒｘビーム（例えば、ＳＲＩ）、およびビーム受信品質（例えば、ＣＳＩ、参照信号受信電力（Ｒｅｆｅｒｅｎｃｅ  Ｓｉｇｎａｌ  Ｒｅｃｅｉｖｅｄ  Ｐｏｗｅｒ（ＲＳＲＰ））、および、受信信号強度（Ｒｅｃｅｉｖｅｄ  Ｓｉｇｎａｌ  Ｓｔｒｅｎｇｔｈ  Ｉｎｄｉｃａｔｏｒ（ＲＳＳＩ）））を含む。適用したＵＥ  Ｒｘビームは、決定したＴＲＰ  Ｔｘビームに対応するＵＥ  Ｒｘビームである。適用したＵＥ  Ｒｘビームを示す情報は、ＣＳＩパラメータに含まれてもよい。ＲＳＲＰおよびＲＳＳＩは、ＣＳＩパラメータに含まれてもよい。
【００４５】
また、構成情報は、選択されるビームペアの数（フィードバックのためのペア情報の数）を示す情報を含む。
【００４６】
例えば、選択されるビームペアの数は、単一であると決定されてもよい。
【００４７】
例えば、選択されるビームペアの数は、ＴＲＰ  Ｔｘビームの数に基づいて決定されてもよい。例えば、フィードバック情報は、最良のＵＥ  Ｒｘビームおよび／または各ＴＲＰ  Ｔｘビームのビーム受信品質を含む。
【００４８】
例えば、選択されるビームペアの数は、ＵＥ  Ｒｘビームの数に基づいて決定されてもよい。例えば、フィードバック情報は、最良のＴＲＰ  Ｔｘビームおよび／または各ＵＥ  Ｒｘビームのビーム受信品質を含む。
【００４９】
例えば、選択されるビームペアの数は、ＴＲＰ２０によって指定されてもよい。例えば、ビームペアが最良のＭ方式に基づいて決定される場合、ＴＲＰ２０は、値“Ｍ”を指定してもよい。
【００５０】
例えば、選択されるビームペアの数は、ＵＥ１０によって決定されてもよい。
【００５１】
（第２の実施例）
本発明の第２の実施例の１つ以上の実施形態によれば、ＴＲＰ  Ｔｘビーム決定動作において、ＵＥ１０は所定のＵＥ  Ｒｘビーム（ＲｘアンテナパネルまたはＲｘアンテナグループ）を用いてＣＳＩ−ＲＳを受信してもよい。所定のＵＥ  Ｒｘビームは少なくとも１つであってもよい。図７に示すように、ＴＲＰ２０はビームスイーピングによってＴＲＰ  Ｔｘビーム＃１−＃４を用いてＣＳＩ−ＲＳを送信してもよい。ＵＥ１０はＴＲＰ２０から、ＵＥ  Ｒｘビーム＃１を用いてＣＳＩ−ＲＳを受信してもよい。
【００５２】
図８は、本発明の第２の実施例の１つ以上の実施形態による、ビーム管理動作の動作例を示すシーケンス図である。
【００５３】
図８に示すように、ステップＳ２０１では、ＵＥ１０はＵＥ  Ｒｘビーム情報を含むＵＥ能力情報を送信してもよい。例えば、ＵＥ  Ｒｘビーム情報はＵＥ  Ｒｘビームの数、および／または、ＵＥ  Ｒｘビームの最大数を含む。例えば、ＵＥ  Ｒｘビーム情報は、ＴＲＰ  Ｒｘビームの候補に関連付けられるＵＥ  Ｒｘビームの候補を示す情報を含む。例えば、ＴＲＰ  Ｔｘビームの全てまたは一部はＵＥ  Ｒｘビームに共通であってもよい。
【００５４】
例えば、ＵＥ能力情報のＵＥ  Ｒｘビームの数は、Ｔｘ／Ｒｘに共通、またはＴｘとＲｘとの間で異なってもよい。
【００５５】
例えば、ＵＥ能力情報のＵＥ  Ｒｘビームの数は、ＵＥ  Ｒｘデジタルビームの数（ＮＵＥ，Ｄ）およびＵＥ  Ｒｘアナログビームの数（ＮＵＥ，Ａ）として別々に示されてもよい。例えば、ＵＥ  Ｒｘビームの数は、ＴＲＰ２０によってＮＵＥ（＝ＮＵＥ，Ｄ  ｘ  ＮＵＥ，Ａ）として認識されてもよい。
【００５６】
また、ＵＥ  Ｒｘビームの数は、例えば、モビリティのためのＲＳリソースの数として、暗黙的にシグナリングされる、ＵＥ能力情報以外の他の信号に含まれてもよい。
【００５７】
ステップＳ２０２では、ＴＲＰ２０はＣＳＩ−ＲＳリソース情報、および／またはビーム選択情報を送信してもよい。ＣＳＩ−ＲＳリソース情報は、ＴＲＰ  Ｔｘビームの数（ＮＴＲＰ）を示す情報、およびＵＥ  Ｒｘビームを指定するためのＵＥ  Ｒｘビーム情報を含む。
【００５８】
ステップＳ２０３では、ＴＲＰ２０はＵＥ  Ｒｘビーム（例えば、ＵＥ  Ｒｘビーム＃１）を指定するためのＵＥ  Ｒｘビーム指定情報を送信してもよい。
【００５９】
例えば、指定されるＵＥ  Ｒｘビームは、ビームインデックスまたはＳＲＳリソースインデックスとして示されてもよい。
【００６０】
例えば、指定されるＵＥ  Ｒｘビームは、ＵＥ１０に、上りリンクプリコーディング行列表示子（Ｐｒｅｃｏｄｉｎｇ  Ｍａｔｒｉｘ  Ｉｎｄｉｃａｔｏｒ（ＰＭＩ））などのＰＭＩとして通知されてもよい。
【００６１】
例えば、指定されるＵＥ  Ｒｘビームは、アンテナパネルインデックス、アンテナグループインデックス、またはＴＸＲＵインデックスとして示されてもよい。
【００６２】
例えば、ＵＥ  Ｒｘビーム指定情報は、無指向性ビームへのフォールバックを指示する情報を含む。
【００６３】
例えば、指定されるＵＥ  Ｒｘビームは、複数のＴＲＰ  Ｔｘビームを受信するために、共通に、または独立に用いられてもよい。
【００６４】
ステップＳ２０４では、ＴＲＰ２０は、ビームスイーピングによってＴＲＰ  Ｔｘビーム＃１−＃４のそれぞれを用いてＣＳＩ−ＲＳ＃１−＃４を送信してもよい。
【００６５】
ステップＳ２０５では、ＵＥ１０は、ＵＥ  Ｒｘビーム指定情報に基づいて指定されるＵＥ  Ｒｘビームを用いてＣＳＩ−ＲＳを受信してもよい。ＵＥ１０は、ＣＳＩ−ＲＳの受信品質に基づいてＴＲＰ  Ｔｘビームを決定してもよい。
【００６６】
ステップＳ２０６では、ＵＥ１０は、ＴＲＰ２０にフィードバック情報を送信してもよい。ステップＳ２０６における動作は、図６のステップＳ１０４の動作と同じである。
【００６７】
（第２の変形例）
本発明の第２の変形例の１つ以上の実施形態によれば、ＵＥ１０はＣＳＩ−ＲＳの受信に用いるＵＥ  Ｒｘビームを決定してもよい。図９は、本発明の第２の変形例の１つ以上の実施形態による、ビーム管理動作の動作例を示すシーケンス図である。図８のステップと同様の図９のステップは、同じ参照ラベルを有してもよい。
【００６８】
図９に示すように、ステップＳ２０３ａでは、ＵＥ１０は、ＣＳＩ−ＲＳの受信に用いるＵＥ  Ｒｘビーム（例えば、ＵＥ  Ｒｘビーム＃１）を決定してもよい。したがって、本発明の第２の変形例の１つ以上の実施形態によれば、ＣＳＩ−ＲＳの受信に用いるＵＥ  Ｒｘビームは、複数のＴＲＰ  Ｔｘビームに共通であってもよい。
【００６９】
例えば、ＵＥ１０は、各ＴＲＰ  Ｔｘビーム用のＵＥ  Ｒｘビームの切り替えを許可しなくてもよい。
【００７０】
例えば、ＣＳＩ−ＲＳの受信に用いるＵＥ  Ｒｘビームは、所定の物理チャネルおよび信号の受信に用いるＵＥ  Ｒｘビームと同じであってもよい。また、所定の物理チャネルおよび信号の受信に用いるＵＥ  ＲｘビームとＣＳＩ−ＲＳの受信に用いるＵＥ  Ｒｘビームとの関連付けは、ＵＥ１０からＴＲＰ２０にシグナリングされてもよい。
【００７１】
例えば、ＵＥ１０は、無指向性ビームへのフォールバックを決定してもよい。
【００７２】
例えば、ＵＥ１０は、ＴＲＰ２０からのＱＣＬ情報と、ビームペアリンクに関する情報と、に基づいてＣＳＩ−ＲＳの受信に用いるＵＥ  Ｒｘビームを決定してもよい。例えば、ＱＣＬ情報は、ＴＲＰ２０からＵＥ１０に、ＴＲＰ  ＴｘビームまたはＴＲＰ  Ｔｘビームグループ毎に送信されてもよい。例えば、ＱＣＬ情報は、ＴＲＰ  Ｔｘビームに共通であってもよい。
【００７３】
例えば、ＵＥ１０は、ＴＲＰ２０からのビームインデックス、例えば、ＣＲＩおよびビームペアリンクに関する情報に基づいて、ＣＳＩ−ＲＳの受信に用いるＵＥ  Ｒｘビームを決定してもよい。例えば、ビームインデックスは、ＴＲＰ２０からＵＥ１０に、ＴＲＰ  ＴｘビームまたはＴＲＰ  Ｔｘビームグループ毎に送信されてもよい。例えば、ビームインデックスは、ＴＲＰ  Ｔｘビームに共通であってもよい。
【００７４】
例えば、ＣＳＩ−ＲＳの受信に用いるＵＥ  Ｒｘビームを決定する上記の方法の全てまたは一部は、ＴＲＰ２０またはコアネットワークからの指示に基づいて、切り替えられてもよい。例えば、ＣＳＩ−ＲＳの受信に用いられる決定したＵＥ  Ｒｘビームが適切でない場合、適切なＴＲＰ  Ｔｘビームが決定されない可能性があるため、決定したＵＥ  Ｒｘビームはフォールバックとして無指向性ビームに変更されてもよい。
【００７５】
（第３の実施例）
本発明の第３の実施例の１つ以上の実施形態によれば、ＴＲＰ  Ｔｘビーム決定動作において、ＵＥ１０はＴＲＰ  Ｔｘビーム毎に切り替えられるＵＥ  Ｒｘビームを用いてＣＳＩ−ＲＳを受信してもよい。図１０に示すように、ＴＲＰ２０は、ビームスイーピングによってＴＲＰ  Ｔｘビーム＃１−＃４を用いてＣＳＩ−ＲＳを送信してもよい。ＵＥ１０はＴＲＰ２０から、ＵＥ  Ｒｘビーム切り替えによってＵＥ  Ｒｘビーム＃１−＃２を用いてＣＳＩ−ＲＳを受信してもよい。
【００７６】
図１１は、本発明の第３の実施例の１つ以上の実施形態による、ビーム管理動作の動作例を示すシーケンス図である。
【００７７】
図１１に示すように、ステップＳ３０１では、ＵＥ１０はＵＥ  Ｒｘビーム情報を含むＵＥ能力情報を送信してもよい。例えば、ＵＥ  Ｒｘビーム情報は、ＵＥ  Ｒｘビームの数、および／または、ＵＥ  Ｒｘビームの最大数を含む。例えば、ＵＥ  Ｒｘビーム情報は、ＴＲＰ  Ｒｘビームの候補に関連付けられるＵＥ  Ｒｘビームの候補を示す情報を含む。例えば、ＴＲＰ  Ｔｘビームの全て又は一部は、ＵＥ  Ｒｘビームに関連付けられてもよい。
【００７８】
ステップＳ３０１およびＳ３０２の動作は、ステップＳ２０１およびＳ２０２の動作とそれぞれ同じである。
【００７９】
ステップＳ３０３では、ＴＲＰ２０は、ＴＲＰ  Ｔｘビーム毎にＵＥ  Ｒｘビームを決定するための情報を送信してもよい。
【００８０】
ステップＳ３０４ａ−３０４ｄでは、ＴＲＰ２０は、ビームスイーピングによって、ＴＲＰ  Ｔｘビーム＃１−＃４のそれぞれを用いてＣＳＩ−ＲＳ＃１−＃４を送信してもよい。
【００８１】
ステップＳ３０５ａ−３０５ｄでは、ＵＥ１０は、ＵＥ  Ｒｘビームの切り替えによって、ＵＥ  Ｒｘビーム＃１−＃４のそれぞれを用いてＴＲＰ  Ｔｘビーム＃１−＃４を用いるＣＳＩ−ＲＳを受信してもよい。ＵＥ１０は、ＣＳＩ−ＲＳの受信品質に基づいて、ＴＲＰ  Ｔｘビームを決定してもよい。
【００８２】
ステップＳ３０６の動作は、ステップＳ１０４およびステップＳ２０６の動作と同じである。
【００８３】
（第３の変更例）
本発明の第３の変形例の１つ以上の実施形態によれば、ＵＥ１０は、ＣＳＩ−ＲＳの受信に用いるＵＥ  Ｒｘビームの切り替えを決定してもよい。図１２は、本発明の第３の変形例の１つ以上の実施形態による、ビーム管理動作の動作例を示すシーケンス図である。図１１のステップと同様の図１２のステップでは、同じ参照ラベルを有してもよい。
【００８４】
図１２に示すように、ステップＳ３０３ａでは、ＵＥ１０はＣＳＩ−ＲＳの受信に用いるＵＥ  Ｒｘビームの切り替えを決定してもよい。
【００８５】
（ＵＥ  Ｒｘビームを決定する方法）
（第４の実施例）
本発明の第４の実施例の１つ以上の実施形態によれば、ＵＥ  Ｒｘビームを決定するために、ＴＲＰ２０は複数のＣＳＩ−ＲＳを送信してもよく、ＵＥ１０は複数のＣＳＩ−ＲＳのそれぞれに異なるビームＵＥ  Ｒｘビームを適用し、最良のＵＥ  Ｒｘビームを選択してもよい。
【００８６】
図１３に示すように、ＴＲＰ２０は無指向性ビームを用いて複数のＣＳＩ−ＲＳを送信してもよい。したがって、同じビームは複数のＣＳＩ−ＲＳに適用されてもよい。
【００８７】
また、ＵＥ１０がデジタルスイーピングを実行する場合、複数のＣＳＩ−ＲＳリソースは必要ではない場合がある。
【００８８】
また、例えば、ＴＲＰ２０はＵＥ１０に、ＣＳＩ−ＲＳに適用されるビームの情報を送信してもよい。適用されるビームの情報は、ＵＥ１０にＣＲＩまたはＱＣＬとして通知されてもよい。
【００８９】
図１３を参照すると、ＵＥ１０は、異なるＵＥ  Ｒｘビームを用いてＣＳＩ−ＲＳを受信してもよい。したがって、各ＣＳＩ−ＲＳに適用されるＵＥ  Ｒｘビームは、互いに異なってもよい。ＵＥ１０は、受信したＣＳＩ−ＲＳの受信品質に基づいて、最良のＵＥ  Ｒｘビームを決定してもよい。
【００９０】
例えば、ＵＥ１０がデジタルビームを適用する場合、ＣＳＩ−ＲＳの数は１つであってもよい。
【００９１】
例えば、ＵＥ１０がアナログビームおよびハイブリッドビームを適用する場合、ＣＳＩ−ＲＳの数はＵＥ  Ｒｘアナログビームの数（ＮＵＥ，Ａ）であってもよい。
【００９２】
例えば、ＵＥ  Ｒｘビームの候補の数が大きい場合、ＵＥ  Ｒｘビームの決定に用いられるＣＳＩ−ＲＳの数は増加してもよい。また、複数のＵＥ１０が異なるＵＥ  Ｒｘビームを用いる場合、ＣＳＩ−ＲＳの数はＵＥ１０毎に異なってもよい。その結果、ＵＥ  Ｒｘビームは効率的に決定されなくてもよい。
【００９３】
本発明の第４の実施例の１つ以上の実施形態によれば、ＴＲＰ２０はＵＥ  Ｒｘビームの候補を制限してもよい。例えば、ＴＲＰ２０はＵＥ  Ｒｘビームの数を指定してもよい。
【００９４】
例えば、ＴＲＰ２０が所定の数のＵＥ  Ｒｘビームを指定できる場合、動作の柔軟性は改善されるが、ＵＥ１０の実装は複雑になる。本発明の第４の実施例の１つ以上の実施形態によれば、ＵＥ  Ｒｘビームの所定の数は制限されてもよい。例えば、ＵＥ  Ｒｘビームの所定の数は、｛１、２、４、８、１６、３２｝であってもよい。例えば、ＵＥ  Ｒｘビームの所定の数は、ＵＥ１０のアンテナパネルおよびアンテナの数であってもよい。ＴＲＰ２０はＵＥ１０に、ＵＥ１０のアンテナパネルおよび／またはアンテナの数のオーバサンプリングファクタとしてＵＥ  Ｒｘビームの所定の数を通知してもよい。ＴＲＰ２０はＵＥ１０に、アンテナパネルおよびＵＥ１０のパネル毎のアンテナの数を乗算して得られる数のオーバサンプリングファクタとして、ＵＥ  Ｒｘビームの所定の数を通知してもよい。
【００９５】
同様に、ＴＲＰ２０は、ＵＥ  Ｒｘビーム候補の制限と同様に、ＵＥ  Ｔｘビームの候補を制限してもよい。ＴＲＰ２０は、ＵＥ  Ｔｘビームの数を指定してもよい。
【００９６】
本発明の第４の実施例の１つ以上の実施形態によれば、ＵＥ１０は、ＵＥ  Ｒｘビーム情報およびビーム受信品質（例えば、ＣＳＩ、ＲＳＲＰおよびＲＳＳＩ）を含むフィードバック情報を送信してもよい。
【００９７】
ＴＲＰ  Ｔｘビームを決定する方法における前述の技術（例えば、ＴＲＰ２０からのＴｘビームの数の通知および複数のビームを選択する方法）は、ＵＥ  Ｒｘビームを決定する方法における技術に適用されてもよい。ステップＳ１２では、ＴＲＰ２０は、ＵＥ１０に、ＲＳ設定で指定される情報要素にしたがって、周期的、非周期的、および／またはセミパーシステントＣＳＩ−ＲＳを送信してもよい。
【００９８】
（第４の変形例）
図１４に示すように、本発明の第４の変形例の１つ以上の実施形態によれば、ＵＥ  Ｒｘビームを決定するために、ＴＲＰ２０は単一のＴＲＰ  Ｔｘビーム（ＴＲＰ  Ｔｘビーム＃１）を用いて複数のＣＳＩ−ＲＳを送信してもよい。
【００９９】
（ＴＲＰ−ＵＥビームペアを決定する方法）
初期アクセス手順では、事前の情報なしで適切なＴｘ／Ｒｘビームを決定するよう要求される。決定されるビームは、ＴＲＰ  Ｔｘビーム、ＴＲＰ  Ｒｘビーム、ＵＥ  ＴｘビームおよびＵＥ  Ｒｘビームなど、最大４つのパターンである。ＵＥ１０の較正精度に応じて、Ｔｘ／Ｒｘに共通のビームが適用されてもよい。
【０１００】
（第５の実施例）
図１５−図１７は、本発明の第５の実施例の１つ以上の実施形態による、ビームスイーピング動作の例を示す概略図である。図１５−図１７の動作例は、下りリンク参照信号を用いるが、同様の動作が上りリンク参照信号に適用されてもよい。
【０１０１】
本発明の第５の実施例の１つ以上の実施形態によれば、図１５−図１７に示すように、ＴＲＰ−ＵＥビームペアを決定するために、ＴＲＰ２０はＵＥ１０にＴＲＰ  Ｔｘビーム情報を送信してもよい。
【０１０２】
例えば、ＴＲＰ  Ｔｘビーム情報はＴＲＰ２０から送信されるＣＳＩ−ＲＳリソースの数（Ｎａｌｌ）を含む。図１５、１６の例では、Ｎａｌｌは８である。
【０１０３】
例えば、ＴＲＰ  Ｔｘビーム情報は、ＣＳＩ−ＲＳ送信に用いられるＴＲＰ  Ｔｘビームの数（Ｎｂ）を含む。図１５、１６の例では、Ｎｂは４である。
【０１０４】
例えば、ＴＲＰ  Ｔｘビーム情報は、ＣＳＩ−ＲＳ送信の繰り返しの数（Ｎｒ）を含む。図１５、１６の例では、Ｎｒは２である。
【０１０５】
本発明の第５の実施例の１つ以上の実施形態によれば、ＴＲＰ  Ｔｘビーム情報は、スイーピング情報を構成するために、ＣＳＩ−ＲＳリソースの数（Ｎａｌｌ）、ＴＲＰ  Ｔｘビームの数（Ｎｂ）、およびＣＳＩ−ＲＳ送信の繰り返しの数（Ｎｒ）のうちの少なくとも２つを含む。
【０１０６】
図１５−図１７に示すように、ＴＲＰ２０からのビーム送信には複数の順序がある。本発明の第５の実施例の１つ以上の実施形態によれば、ＴＲＰ２０はＵＥ１０に、ビームスイーピングの順序の情報を送信してもよい。例えば、ビームスイーピングの順序の情報は、ＴＲＰビームおよびＵＥビームのどちらが最初にビームスイーピングを実行されるかを示す。例えば、ビームスイーピングの順序の情報は、ビームインデックス（ＣＲＩ）またはＱＣＬ情報として通知されてもよい。また、ビームスイーピングの順序は、３ＧＰＰ仕様などの仕様で定義されてもよい。
【０１０７】
本発明の第５の実施例の１つ以上の実施形態によれば、図１５−図１７に示すように、ＵＥ１０はＴＲＰ２０にビームペアのフィードバック情報を送信してもよい。
【０１０８】
例えば、ビームペアのフィードバック情報は、最良の受信品質を有するビームペアを含む。例えば、ビームペアのフィードバック情報は、最良Ｍの受信品質を有するビームペアを含む。
【０１０９】
例えば、ビームペアのフィードバック情報は、各ＴＲＰ  Ｔｘビームに最良のＵＥ  Ｒｘビームを含む。
【０１１０】
例えば、ビームペアのフィードバック情報は、各ＵＥ  Ｒｘビームに最良のＴＲＰ  Ｔｘビームを含む。
【０１１１】
例えば、ＵＥ１０は、各ＴＲＰ  Ｔｘビームに対し、異なるＵＥ  Ｒｘビームを想定してもよい。ビームペアのフィードバック情報は、異なるＵＥ  Ｒｘビームを含む。
【０１１２】
例えば、ＵＥ１０は、各ＴＲＰ  Ｔｘビームに対し、無指向性ビームおよび指向性ビームを想定してもよい。ビームペアのフィードバック情報は、想定される無指向性ビームおよび指向性ビームを含む。
【０１１３】
例えば、ビームペアのフィードバック情報は、ビームペアの受信品質（例えば、ＣＳＩ、ＲＳＲＰおよび／またはＲＳＳＩ）を含む。
【０１１４】
例えば、フィードバックのためのビームペアはＣＳＩに基づいて決定されてもよい。
【０１１５】
例えば、フィードバックのためのビームペアはＲＳＲＰおよび／またはＲＳＳＩに基づいて決定されてもよい。
【０１１６】
（上りリンクビームを決定する方法）
上記の実施例の技術は、下りリンクビームペアを決定する方法に関連しているが、上りリンクビームペアを決定する方法に適用してもよい。
【０１１７】
（ＵＥ  Ｔｘビームを決定する方法）
（第６の実施例）
図１８は、本発明の第６の実施例の１つ以上の実施形態による、ＵＥ  Ｔｘを決定する方法の例を示すフローチャートである。
【０１１８】
図１８で示すように、ステップＳ２１では、ＵＥ１０はＴＲＰ２００にＳＲＳリソース情報を送信してもよい。
【０１１９】
ステップＳ２２では、ＵＥ１０はＴＲＰ２０に１つ以上のＵＥ  Ｔｘビーム（ＳＲＳ）を送信してもよい。
【０１２０】
ステップＳ２３では、ＴＲＰ２０はＢＰＬのためのＵＥ  Ｔｘビームおよび／またはＴＲＰ  Ｒｘビームを決定してもよい。
【０１２１】
ステップＳ２４では、ＴＲＰ２０はステップＳ２３で決定したＵＥ  Ｔｘビームおよび／またはＴＲＰ  Ｒｘビームを示す情報を含むフィードバック情報を送信してもよい。例えば、決定したＵＥ  Ｔｘビームを示す情報は、ＳＲＳリソース識別子（ＳＲＩ）であってもよい。
【０１２２】
したがって、本発明の１つ以上の実施形態によれば、ＢＰＬに用いられるＵＥ  Ｔｘビームは、ＵＥ  ＴｘビームスイーピングおよびＴＲＰ  Ｒｘビームスイッチングによって決定され得る。
【０１２３】
（ＴＲＰ  Ｒｘビームを決定する方法）
（第７の実施例）
本発明の第７の実施例の１つ以上の実施形態によれば、ＴＲＰ  Ｒｘビームを決定するために、ＵＥ１０は複数のＳＲＳを送信してもよく、ＴＲＰ２０は複数のＳＲＳのそれぞれに異なるＴＲＰ  Ｒｘビームを適用し、最良のＴＲＰ  Ｒｘビームを選択してもよい。
【０１２４】
図１９に示すように、ＵＥ１０は所定のＵＥ  Ｔｘビーム（例えば、ＵＥ  Ｔｘビーム＃１）を用いて複数のＳＲＳ（ＳＲＳリソース）を送信してもよい。同じプリコーディングが複数のＳＲＳリソース適用されてもよい。ＳＲＳに適用されるＵＥ  Ｔｘビームは、ＴＲＰ２０によりＳＲＩを用いて指定されてもよい。また、図１９では、例えば、所定のＵＥ  Ｔｘビームは無指向性ビームである。
【０１２５】
ＴＲＰ２０は、ＴＲＰ  Ｒｘビームを切り替えてもよく、切り替えたＴＲＰ  Ｒｘビームを用いてＳＲＳを受信してもよい。ＴＲＰ２０は、受信したＳＲＳの受信品質に基づいて、最良のＴＲＰ  Ｒｘビームを決定してもよい。
【０１２６】
次に、ＴＲＰ２０はＵＥ１０にフィードバック情報を送信してもよい。フィードバック情報は、決定したＵＥ  Ｔｘビームおよび決定したＵＥ  Ｔｘビームに対応するＴＲＰ  Ｔｘビームを示す情報を含む。また、フィードバック情報は、決定したＵＥ  Ｔｘビームおよび決定したＵＥ  Ｔｘビームに対応するＴＲＰ  Ｔｘビームの品質情報を示す情報を含む。
【０１２７】
（ＴＲＰ−ＵＥビームペアを決定する方法）
（第８の実施例）
図２０−図２２は、本発明の第８の実施例の１つ以上の実施形態による、ビームスイーピング動作の例を示す概略図である。本発明の第５の実施例の１つ以上の実施形態によれば、図２０−図２２に示すように、ＴＲＰ−ＵＥビームペアを決定するために、ＵＥ２０はＵＥ  ＴｘビームスイーピングおよびＳＲＳ送信を実行してもよく、ＴＲＰ２０はＴＲＰ  Ｒｘビームスイッチングを実行してもよい。例えば、図２０−図２２では、ＴＲＰ２０はＳＲＳ送信に用いるＵＥ  Ｔｘビーム指定してもよい。
【０１２８】
（別の実施例）
上りリンク／下りリンクの相反性がない場合、下りリンクで決定されたＢＰＬは、上りリンクで決定されたＢＰＬと異なってもよい。本発明の１つ以上の実施形態によれば、ＵＥ１０はＴＲＰ２０に下りリンクで決定されたＢＰＬを通知してもよく、ＵＥ１０はＴＲＰ２０に上りリンクで決定されたＢＰＬを通知してもよい。
【０１２９】
例えば、ＴＲＰビームおよびＵＥビームの候補が多数ある場合、全てのＴＲＰビームおよびＵＥビームのビームスイーピングはシグナリングのオーバヘッドの増加を引き起こすかもしれない。本発明の１つ以上の実施形態によれば、オーバサンプリングは、ＴＲＰおよび／またはＵＥビームの候補に適用されてもよい。例えば、オーバサンプリングは、奇数（または偶数）のＴＲＰおよびＵＥビームの候補（ビームインデックス）に適用されてもよい。本発明の１つ以上の実施形態によれば、ビームスイーピングに用いられるＴＲＰおよび／またはＵＥビームのビームグループが設定されてもよい。
【０１３０】
（ＴＲＰの構成）
以下、図２３を参照して、本発明の１つ以上の実施形態によるＴＲＰ２０について説明する。図２３は、本発明の１つ以上の実施形態によるＴＲＰ２０の概略構成を示す図である。ＴＲＰ２０は、複数のアンテナ（アンテナ要素グループ）２０１、アンプ部２０２、送受信部（送信部／受信部）２０３、ベースバンド信号処理部２０４、呼処理部２０５および伝送路インタフェース２０６を含んでもよい。
【０１３１】
ＴＲＰ２０からＵＥ２０へＤＬで送信されるユーザデータは、コアネットワーク３０から伝送路インタフェース２０６を介してベースバンド信号処理部２０４に入力される。
【０１３２】
ベースバンド信号処理部２０４では、信号は、Ｐａｃｋｅｔ  Ｄａｔａ  Ｃｏｎｖｅｒｇｅｎｃｅ  Ｐｒｏｔｏｃｏｌ（ＰＤＣＰ）レイヤの処理、ユーザデータの分割、結合および無線リンク制御（Ｒａｄｉｏ  Ｌｉｎｋ  Ｃｏｎｔｒｏｌ（ＲＬＣ））再送制御の伝送処理などのＲＬＣレイヤの伝送処理、例えば、ＨＡＲＱ伝送処理、スケジューリング、伝送フォーマット選択、チャネル符号化、逆高速フーリエ変換（ｉｎｖｅｒｓｅ  ｆａｓｔ  Ｆｏｕｒｉｅｒ  ｔｒａｎｓｆｏｒｍ（ＩＦＦＴ））処理およびプリコーディング処理を含む、Ｍｅｄｉｕｍ  Ａｃｃｅｓｓ  Ｃｏｎｔｒｏｌ（ＭＡＣ）再送制御が行われ、各送受信部２０３に転送される。ＤＬ制御チャネルの信号に関しても、チャネル符号化および逆高速フーリエ変換を含む伝送処理が行われ、各送受信部２０３に転送される。
【０１３３】
ベースバンド信号処理部２０４は、上位レイヤシグナリング（例えば、ＲＲＣシグナリングおよびブロードキャストチャネル）によってセル内で通信するための制御情報（システム情報）を各ＵＥ１０に通知する。セル内で通信するための情報には、例えば、ＵＬまたはＤＬシステム帯域を含む。
【０１３４】
各送受信部２０３では、アンテナ毎にプリコーディングされ、ベースバンド信号処理部２０４から出力されたベースバンド信号は、無線周波数帯域への周波数変換処理を受ける。アンプ部２０２は、周波数変換された無線周波数信号を増幅し、得られた信号がアンテナ２０１から送信される。
【０１３５】
ＵＥ１０からＴＲＰ２０にＵＬで送信されるデータに関して、無線周波数信号は、各アンテナ２０１で受信され、アンプ部２０２で増幅され、周波数変換および送受信部２０３でベースバンド信号に変換され、ベースバンド信号処理部２０４に入力される。
【０１３６】
ベースバンド信号処理部２０４は、受信したベースバンド信号に含まれるユーザデータに対して、ＦＦＴ処理、ＩＤＦＴ処理、誤り訂正復号、ＭＡＣ再送制御の受信処理およびＲＬＣレイヤ、ＰＤＣＰレイヤの受信処理を行う。次に、得られた信号は、伝送路インタフェース２０６を介してコアネットワーク３０に転送される。呼処理部２０５は、通信チャネルの設定および解放などの呼処理を行い、ＢＳ２０の状態を管理し、無線リソースを管理する。
【０１３７】
（ユーザ装置の構成）
以下、図２４を参照して、本発明の１つ以上の実施形態によるＵＥ１０について説明する。図２４は、本発明の１つ以上の実施形態による、ＵＥ１０の概略構成である。ＵＥ１０は、複数のＵＥアンテナ１０１、アンプ部１０２、送受信部（送信部／受信部）１０３１を含む回路１０３、制御部１０４およびアプリケーション部１０５を有する。
【０１３８】
ＤＬに関しては、ＵＥアンテナ１０１で受信した無線周波数信号は、それぞれのアンプ部１０２で増幅され、送受信部１０３１でベースバンド信号に周波数変換される。これらのベースバンド信号は、制御部１０４で、ＦＦＴ処理、誤り訂正復号および再送制御などの受信処理が行われる。ＤＬユーザデータは、アプリケーション部１０５に転送される。アプリケーション部１０５は、物理レイヤおよびＭＡＣレイヤよりも上位のレイヤに関する処理を実行する。下りリンクデータにおいて、ブロードキャスト情報も、アプリケーション部１０５に転送される。
【０１３９】
一方で、ＵＬユーザデータは、アプリケーション部１０５から制御部１０４に入力される。制御部１０４では、再送制御（Ｈｙｂｒｉｄ  ＡＲＱ）伝送処理、チャネル符号化、復号、ＤＦＴ処理およびＩＦＦＴ処理などが実行され、得られた信号は各送受信部１０３１に転送される。送受信部１０３１では、制御部１０４から出力されたベースバンド信号は、無線周波数帯域に変換される。その後、周波数変換された無線周波数信号はアンプ部１０２で増幅された後、アンテナ１０１から送信される。
【０１４０】
本発明の１つ以上の実施形態は、上りリンクおよび下りリンクのそれぞれに独立して用いられてもよい。本発明の１つ以上の実施形態は、上りリンクおよび下りリンクの両方に共通して用いられてもよい。
【０１４１】
本開示は、ＴＲＰ  Ｔｘビーム選択、ＴＲＰ  Ｒｘビーム選択、ＵＥ  Ｔｘビーム選択、ＵＥ  Ｒｘビーム選択、Ｊｏｉｎｔ  ＴＲＰ  ＴｘおよびＵＥ  Ｒｘ選択、Ｊｏｉｎｔ  ＵＥ  ＴｘおよびＴＲＰ  Ｒｘビーム選択を対象とする技術を個別に説明したが、これらの技術は、ビーム選択技術のそれぞれに限定されず、他のタイプのビーム選択にもの適用可能性がある。
【０１４２】
本開示は、ＮＲに基づくチャネルおよびシグナリング方式の例を主に説明したが、本発明はそれに限定されない。本発明の１つ以上の実施形態は、ＬＴＥ／ＬＴＥ−Ａおよび新しく定義されたチャネル、シグナリング方式などと同じ機能を有する別のチャネルおよびシグナリング方式に適用してもよい。
【０１４３】
本開示は、ＣＳＩ−ＲＳに基づくチャネル推定およびＣＳＩフィードバック方式の例を主に説明したが、本発明はそれに限定されない。本発明の１つ以上の実施形態は、同期信号（ｓｙｎｃｈｒｏｎｉｚａｔｉｏｎ  ｓｉｇｎａｌ（ＳＳ））、メジャメントＲＳ（ＭＲＳ）、モビリティＲＳ（ＭＲＳ）およびビームＲＳ（ＢＲＳ）などの、別の同期信号、参照信号および物理チャネルに適用してもよい。
【０１４４】
本開示は、ＳＲＳに基づく上りリンクチャネル推定方法の例を主に説明したが、本発明はそれに限定されない。本発明の１つ以上の実施形態は、別の同期信号、参照信号および物理チャネルに適用してもよい。
【０１４５】
本開示は、様々なシグナリング方法の例を主に説明したが、本発明の１つ以上の実施形態によるシグナリングは、明示的または暗黙的に実行されてもよい。
【０１４６】
本開示は、様々なシグナリング方法の例を主に説明したが、本発明の１つ以上の実施形態によるシグナリングは、ＲＲＣシグナリングなどの上位レイヤシグナリングおよび／またはＤＣＩ、ＭＡＣ  ＣＥなどの下位レイヤシグナリングであってもよい。また、本発明の１つ以上の実施形態によるシグナリングは、Ｍａｓｔｅｒ  Ｉｎｆｏｒｍａｔｉｏｎ  Ｂｌｏｃｋ（ＭＩＢ）および／またはＳｙｓｔｅｍ  Ｉｎｆｏｒｍａｔｉｏｎ  Ｂｌｏｃｋ（ＳＩＢ）を使用してもよい。例えば、ＲＲＣ、ＤＣＩ、ＭＡＣ  ＣＥの少なくとも２つを本発明の１つ以上の実施形態によるシグナリングとして組み合わせて使用してもよい。
【０１４７】
本開示は、ビームフォーミングされたＲＳ（ビームを用いたＲＳ送信）の例を説明したが、物理信号／チャネルがビームフォーミングされるかどうかは、ＵＥに透過的であってもよい。ビームフォーミングされたＲＳおよびビームフォーミングされた信号は、それぞれＲＳおよび信号と呼ばれてもよい。また、ビームフォーミングされたＲＳは、ＲＳリソースと呼ばれてもよい。また、ビーム選択は、リソース選択と呼ばれてもよい。また、ビームインデックスは、リソースインデックス（インジケータ）またはアンテナポートインデックスと呼ばれてもよい。
【０１４８】
本発明の１つ以上の実施形態は、ＣＳＩ測定、チャネルサウンディング、ビーム測定およびＳＳを用いるビーム管理などの他のビーム制御方式に適用してもよい。
【０１４９】
本発明の１つ以上の実施形態では、本開示におけるＲＢおよびサブキャリアは、互いに置き換えられてもよい。サブフレーム、シンボルおよびスロットは、互いに置き換えられてもよい。
【０１５０】
上記の実施例および変形例は、互いに組み合わせられてもよく、これらの例の様々な特徴は、様々な組み合わせで互いに組み合わせられる。本開示は、本明細書に開示される特定の組み合わせに限定されない。
【０１５１】
本開示では、限られた数の実施形態のみについて説明したが、この開示の利益を有する当業者であれば、本発明の範囲から逸脱することなく様々な他の実施形態が考案され得ることを理解するであろう。したがって、本開示の範囲は、特許請求の範囲の記載によってのみ限定されるべきである。
【図１】
2020516139.tif 000003
【図２】
2020516139.tif 000004
【図３】
2020516139.tif 000005
【図４】
2020516139.tif 000006
【図５】
2020516139.tif 000007
【図６】
2020516139.tif 000008
【図７】
2020516139.tif 000009
【図８】
2020516139.tif 000010
【図９】
2020516139.tif 000011
【図１０】
2020516139.tif 000012
【図１１】
2020516139.tif 000013
【図１２】
2020516139.tif 000014
【図１３】
2020516139.tif 000015
【図１４】
2020516139.tif 000016
【図１５】
2020516139.tif 000017
【図１６】
2020516139.tif 000018
【図１７】
2020516139.tif 000019
【図１８】
2020516139.tif 000020
【図１９】
2020516139.tif 000021
【図２０】
2020516139.tif 000022
【図２１】
2020516139.tif 000023
【図２２】
2020516139.tif 000024
【図２３】
2020516139.tif 000025
【図２４】
2020516139.tif 000026
【国際調査報告】
2020516139.tif 000027
2020516139.tif 000028
2020516139.tif 000029